(57)【要約】【課題】  スター型のような所定の接続形態で接続されたネットワークの状態を診断可能なネットワーク診断方法、ネットワーク診断装置および通信状態表示方法を提供する。【解決手段】  ネットワークを構成する個々の接続経路の通信状態を判定し、その判定結果を経路情報として保存し、保存された経路情報を収集し、収集された経路情報に基づくネットワーク診断情報を提示する。本発明によれば、個々の接続経路の通信状態の判定結果である経路情報に基づくネットワーク診断情報を提示するので、個々の接続経路の通信状態が反映された診断情報を得ることができる。ネットワーク診断情報を提示する際に、個々の接続経路における経路情報を、受信側機器および送信側機器を行列配置させたマトリクス表示してもよい。この場合には、マトリクス表示を見ることにより、瞬時に異常個所を確認できる。マトリクスの枡には、正常／異常を区別する複数種類のアイコンを表示してもよい。【選択図】図１
2006129012.tif 000002
【特許請求の範囲】
【請求項１】
複数の機器が接続されたネットワークを診断するネットワーク診断方法において、
ネットワークを構成する個々の接続経路の通信状態を判定し、その判定結果を経路情報として保存するステップと、
保存された前記経路情報を収集するステップと、
収集された前記経路情報に基づくネットワーク診断情報を提示するステップと、
を備えることを特徴とするネットワーク診断方法。
【請求項２】
前記経路情報を保存するステップでは、前記経路情報を前記個々の接続経路により接続される機器の側で保存することを特徴とする請求項１に記載のネットワーク診断方法。
【請求項３】
前記ネットワーク診断情報を提示するステップでは、前記個々の接続経路における経路情報を、受信側機器および送信側機器を行列配置させたマトリクス表示することを特徴とする請求項１または２に記載のネットワーク診断方法。
【請求項４】
前記ネットワークは複数のドメインを含んで構成され、
前記経路情報を保存するステップでは、複数のドメインにわたって前記経路情報を保存し、
前記経路情報を収集するステップでは、複数のドメインにわたって保存された前記経路情報を収集し、
前記ネットワーク診断情報を提示するステップでは、ドメインごとに前記ネットワーク診断情報を提示可能としたことを特徴とする請求項１〜３のいずれか１項に記載のネットワーク診断方法。
【請求項５】
複数の機器が接続されたネットワークを診断するネットワーク診断方法において、
前記ネットワークは複数のドメインを含んで構成され、
各ドメインに属する機器間の通信状態を判定し、その判定結果をドメイン間通信状態情報として保存するステップと、
保存された前記ドメイン間通信状態情報を収集するステップと、
収集された前記ドメイン間通信状態情報に基づくネットワーク診断情報を提示するステップと、
を備えることを特徴とするネットワーク診断方法。
【請求項６】
前記ネットワーク診断情報を提示するステップでは、個々のドメイン間のドメイン間通信状態情報を、受信側および送信側のドメインを行列配置させたマトリクス表示することを特徴とする請求項５に記載のネットワーク診断方法。
【請求項７】
複数の機器が接続されたネットワークを診断するネットワーク診断装置において、
ネットワークを構成する個々の接続経路の通信状態を判定し、その判定結果を経路情報として保存する経路情報保存手段と、
保存された前記経路情報を収集する経路情報収集手段と、
収集された前記経路情報に基づくネットワーク診断情報を提示する診断情報提示手段と、
を備えることを特徴とするネットワーク診断装置。
【請求項８】
前記経路情報保存手段は、前記経路情報を前記個々の接続経路により接続される機器の側で保存することを特徴とする請求項７に記載のネットワーク診断手段。
【請求項９】
前記診断情報提示手段は、前記個々の接続経路における経路情報を、受信側機器および送信側機器を行列配置させたマトリクス表示することを特徴とする請求項７または８に記載のネットワーク診断装置。
【請求項１０】
前記ネットワークは複数のドメインを含み、
前記経路情報保存手段は、複数のドメインにわたって前記経路情報を保存し、
前記経路情報収集手段は、複数のドメインにわたって保存された前記経路情報を収集し、
前記診断情報提示手段は、ドメインごとに前記経路情報を提示可能としたことを特徴とする請求項７〜９のいずれか１項に記載のネットワーク診断装置。
【請求項１１】
複数の機器が接続されたネットワークを診断するネットワーク診断装置において、
前記ネットワークは複数のドメインを含んで構成され、
各ドメインに属する機器間の通信状態を判定し、その判定結果をドメイン間通信状態情報として保存するドメイン間通信状態情報保存手段と、
保存された前記ドメイン間通信状態情報を収集するドメイン間通信状態情報収集手段と、
収集された前記ドメイン間通信状態情報に基づくネットワーク診断情報を提示する診断情報提示手段と、
を備えることを特徴とするネットワーク診断装置。
【請求項１２】
前記診断情報提示手段は、個々のドメイン間のドメイン間通信状態情報を、受信側および送信側のドメインを行列配置させたマトリクス表示することを特徴とする請求項１１に記載のネットワーク診断装置。
【請求項１３】
複数の機器が接続されたネットワークの通信状態を表示する通信状態表示方法であって、
ネットワークを構成する個々の接続経路の通信状態を、受信側機器および送信側機器を行列配置させたマトリクス表示することを特徴とする通信状態表示方法。
【請求項１４】
前記ネットワークは複数のドメインを含んで構成され、
前記通信状態のマトリクス表示をドメインごとに切り替え可能としたことを特徴とする請求項１３または１４に記載の通信状態表示方法。
【請求項１５】
複数の機器が接続されたネットワークの通信状態を表示する通信状態表示方法であって、
前記ネットワークは複数のドメインを含んで構成され、
個々のドメイン間のドメイン間通信状態情報を、受信側および送信側のドメインを行列配置させたマトリクス表示することを特徴とする通信状態表示方法。
【発明の詳細な説明】
【技術分野】
【０００１】
本発明は、複数の機器が接続されたネットワークを診断するネットワーク診断方法、ネットワーク診断装置および通信状態表示方法に関する。
【背景技術】
【０００２】
プラントの各部に設置されたフィールド機器を制御するプラント制御システムが知られている。通常、このようなシステムはネットワーク接続形態がバス型であり、トークンリング形式のネットワークが採用されている。図９に示すように、ネットワークにはフィールド機器に接続される制御装置１１１，・・・や、プラント各部を監視するとともに必要な操作を実行するための操作監視端末装置１２１，・・・が接続され、ネットワークケーブル１１３上にトークン（Token）と呼ばれる、送信の権利を表すデータが回っている。ネットワークの状態はトークンの状態を参照することで表すことができる。ネットワークが正常かどうかの状態は、基本的にはトークンにより一義的に決まり、トークンの状態が正常であればすべての機器の通信状態は正常であり、トークンの状態が異常であればすべての機器の通信状態は異常となる。
【０００３】
特許文献１には、通信回線を用いて通信可能かどうかを示すバスステータス情報をトークンフレームに載せて通信ステーション間を持ち回る通信制御装置が記載されている。
【０００４】
【特許文献１】特許第２８８８０３８号公報
【発明の開示】
【発明が解決しようとする課題】
【０００５】
このようなネットワーク状態の表現方法は、トークンリング形式のネットワークでは有効に機能するものである。しかし、ネットワークの形式としてネットワーク接続形態がスター型の場合には、ネットワーク上をトークンが回ることはなく、ネットワーク状態を代表する要素がない。各接続機器はスイッチングハブを介して一対一で接続されることになるため、仮に、ある機器同士が通信可能であっても、他の機器同士の組み合わせでは通信不可となる状態も存在する。
【０００６】
本発明の目的は、スター型のような所定の接続形態で接続されたネットワークの状態を診断可能なネットワーク診断方法、ネットワーク診断装置および通信状態表示方法を提供することにある。
【課題を解決するための手段】
【０００７】
本発明のネットワーク診断方法は、複数の機器が接続されたネットワークを診断するネットワーク診断方法において、ネットワークを構成する個々の接続経路の通信状態を判定し、その判定結果を経路情報として保存するステップと、保存された前記経路情報を収集するステップと、収集された前記経路情報に基づくネットワーク診断情報を提示するステップと、を備えることを特徴とする。
このネットワーク診断方法によれば、個々の接続経路の通信状態の判定結果である経路情報に基づくネットワーク診断情報を提示するので、個々の接続経路の通信状態が反映された診断情報を得ることができる。
【０００８】
前記経路情報を保存するステップでは、前記経路情報を前記個々の接続経路により接続される機器の側で保存してもよい。
この場合には、個々の接続経路での通信状態は相手方の機器からのデータの受信状態を保存してもよい。個々の接続経路により接続される機器間で定期的に通信を実行すれば、事実上、リアルタイムでその接続経路の通信状態を判定することができる。
【０００９】
前記ネットワーク診断情報を提示するステップでは、前記個々の接続経路における経路情報を、受信側機器および送信側機器を行列配置させたマトリクス表示してもよい。
この場合には、マトリクス表示を見ることにより、瞬時に異常個所を確認できる。マトリクスの枡には、正常／異常を区別する複数種類のアイコンを表示してもよい。
【００１０】
前記ネットワークは複数のドメインを含んで構成され、前記経路情報を保存するステップでは、複数のドメインにわたって前記経路情報を保存し、前記経路情報を収集するステップでは、複数のドメインにわたって保存された前記経路情報を収集し、前記ネットワーク診断情報を提示するステップでは、ドメインごとに前記ネットワーク診断情報を提示可能としてもよい。
この場合には、通信状態をドメインごとに把握することができる。
【００１１】
本発明のネットワーク診断方法は、複数の機器が接続されたネットワークを診断するネットワーク診断方法において、前記ネットワークは複数のドメインを含んで構成され、各ドメインに属する機器間の通信状態を判定し、その判定結果をドメイン間通信状態情報として保存するステップと、保存された前記ドメイン間通信状態情報を収集するステップと、収集された前記ドメイン間通信状態情報に基づくネットワーク診断情報を提示するステップと、を備えることを特徴とする。
このネットワーク診断方法によれば、各ドメインに属する機器間の通信状態であるドメイン間通信状態情報に基づくネットワーク診断情報を提示するので、各ドメイン間の通信状態を統合的に得ることができる。
【００１２】
前記ネットワーク診断情報を提示するステップでは、個々のドメイン間のドメイン間通信状態情報を、受信側および送信側のドメインを行列配置させたマトリクス表示してもよい。
この場合には、マトリクス表示を見ることにより、瞬時に異常個所を確認できる。マトリクスの枡には、正常／異常を区別する複数種類のアイコンを表示してもよい。
【００１３】
本発明のネットワーク診断装置は、複数の機器が接続されたネットワークを診断するネットワーク診断装置において、ネットワークを構成する個々の接続経路の通信状態を判定し、その判定結果を経路情報として保存する経路情報保存手段と、保存された前記経路情報を収集する経路情報収集手段と、収集された前記経路情報に基づくネットワーク診断情報を提示する診断情報提示手段と、を備えることを特徴とする。
このネットワーク診断装置によれば、個々の接続経路の通信状態の判定結果である経路情報に基づくネットワーク診断情報を提示するので、個々の接続経路の通信状態が反映された診断情報を得ることができる。
【００１４】
前記経路情報保存手段は、前記経路情報を前記個々の接続経路により接続される機器の側で保存してもよい。
この場合には、個々の接続経路での通信状態は相手方の機器からのデータの受信状態を保存してもよい。個々の接続経路により接続される機器間で定期的に通信を実行すれば、事実上、リアルタイムでその接続経路の通信状態を判定することができる。
【００１５】
前記診断情報提示手段は、前記個々の接続経路における経路情報を、受信側機器および送信側機器を行列配置させたマトリクス表示してもよい。
この場合には、マトリクス表示を見ることにより、瞬時に異常個所を確認できる。マトリクスの枡には、正常／異常を区別する複数種類のアイコンを表示してもよい。
【００１６】
前記ネットワークは複数のドメインを含み、前記経路情報保存手段は、複数のドメインにわたって前記経路情報を保存し、前記経路情報収集手段は、複数のドメインにわたって保存された前記経路情報を収集し、前記診断情報提示手段は、ドメインごとに前記経路情報を提示可能としてもよい。
この場合には、通信状態をドメインごとに把握することができる。
【００１７】
本発明のネットワーク診断装置は、複数の機器が接続されたネットワークを診断するネットワーク診断装置において、前記ネットワークは複数のドメインを含んで構成され、各ドメインに属する機器間の通信状態を判定し、その判定結果をドメイン間通信状態情報として保存するドメイン間通信状態情報保存手段と、保存された前記ドメイン間通信状態情報を収集するドメイン間通信状態情報収集手段と、収集された前記ドメイン間通信状態情報に基づくネットワーク診断情報を提示する診断情報提示手段と、を備えることを特徴とする。
このネットワーク診断装置によれば、各ドメインに属する機器間の通信状態であるドメイン間通信状態情報に基づくネットワーク診断情報を提示するので、各ドメイン間の通信状態を統合的に得ることができる。
【００１８】
前記診断情報提示手段は、個々のドメイン間のドメイン間通信状態情報を、受信側および送信側のドメインを行列配置させたマトリクス表示してもよい。
この場合には、マトリクス表示を見ることにより、瞬時に異常個所を確認できる。マトリクスの枡には、正常／異常を区別する複数種類のアイコンを表示してもよい。
【００１９】
本発明の通信状態表示方法は、複数の機器が接続されたネットワークの通信状態を表示する通信状態表示方法であって、ネットワークを構成する個々の接続経路の通信状態を、受信側機器および送信側機器を行列配置させたマトリクス表示することを特徴とする。
この通信状態表示方法によれば、ネットワークを構成する個々の接続経路の通信状態を、受信側機器および送信側機器を行列配置させたマトリクス表示するので、マトリクス表示を見ることにより、瞬時に異常個所を確認できる。マトリクスの枡には、正常／異常を区別する複数種類のアイコンを表示してもよい。
【００２０】
前記ネットワークは複数のドメインを含んで構成され、前記通信状態のマトリクス表示をドメインごとに切り替え可能としてもよい。
この場合には、通信状態をドメインごとに把握することができる。
【００２１】
本発明の通信状態表示方法は、複数の機器が接続されたネットワークの通信状態を表示する通信状態表示方法であって、前記ネットワークは複数のドメインを含んで構成され、個々のドメイン間のドメイン間通信状態情報を、受信側および送信側のドメインを行列配置させたマトリクス表示することを特徴とする。
この通信状態表示方法によれば、個々のドメイン間のドメイン間通信状態情報を、受信側および送信側のドメインを行列配置させたマトリクス表示するので、マトリクス表示を見ることにより、瞬時に異常個所を確認できる。マトリクスの枡には、正常／異常を区別する複数種類のアイコンを表示してもよい。
【発明の効果】
【００２２】
本発明によれば、個々の接続経路の通信状態の判定結果である経路情報に基づくネットワーク診断情報を提示するので、個々の接続経路の通信状態が反映された診断情報を瞬時に得ることができる。
【発明を実施するための最良の形態】
【００２３】
以下、図１〜図８を参照して、本発明によるネットワーク診断方法の実施形態について説明する。
【００２４】
図１は本発明によるネットワーク診断方法を機能的に示すブロック図である。
【００２５】
図１において、経路情報保存手段１０１は、複数の機器が接続されたネットワークを構成する個々の接続経路の通信状態を判定し、その判定結果を経路情報として保存する。経路情報収集手段１０２は、経路情報保存手段１０１により保存された経路情報を収集する。また、ネットワークが複数のドメインを含んで構成される場合、ドメイン間通信状態情報保存手段１０３は、各ドメインに属する機器間の通信状態を判定し、その判定結果をドメイン間通信状態情報として保存する。ドメイン間通信状態情報収集手段１０４は、ドメイン間通信状態情報保存手段１０３により保存されたドメイン間通信状態情報を収集する。
【００２６】
診断情報提示手段１０５は、経路情報収集手段１０２により収集された経路情報に基づくネットワーク診断情報を提示する。また、診断情報提示手段１０５は、ドメイン間通信状態情報収集手段１０４により収集されたドメイン間通信状態情報に基づくネットワーク診断情報を提示する。
【実施例１】
【００２７】
図２（ａ）は本実施例のネットワーク診断方法が適用されるネットワークを示すブロック図である。このネットワークはプラント制御を実行するためのシステムを構成している。図２（ａ）に示すように、このネットワークは、プラントに設置されたバルブやセンサ等のフィールド機器に接続される制御装置１１，１２と、プラント各部を監視するとともに必要な操作を実行するための操作監視端末装置２１〜２３と、これらの装置をスター型に接続するスイッチングハブ３１，３２とを備える。
【００２８】
制御装置１１，１２および操作監視端末装置２１〜２３に実装される通信カードには、それぞれコネクタが２ポートずつ用意されており、ネットワークの二重化に対応可能とされている。図２（ａ）に示すように、制御装置１１には第１のバスのケーブル１１ａおよび第２のバスのケーブル１１ｂが、制御装置１２には第１のバスのケーブル１２ａおよび第２のバスのケーブル１２ｂが、操作監視端末装置２１には第１のバスのケーブル２１ａおよび第２のバスのケーブル２１ｂが、操作監視端末装置２２には第１のバスのケーブル２２ａおよび第２のバスのケーブル２２ｂが、操作監視端末装置２３には第１のバスのケーブル２３ａおよび第２のバスのケーブル２３ｂが、それぞれ接続されている。各装置からの２本のケーブルはスイッチングハブ３１およびスイッチングハブ３２に振り分けて接続され、スイッチングハブ３１は第１のバスのハブとして、スイッチングハブ３２は第２のバスのハブとして、それぞれ機能する。
【００２９】
次に、ネットワーク診断の動作について説明する。
【００３０】
上記のように、ネットワークを構成する各装置は、他の装置と第１のバスおよび第２のバスを介して接続されている。各装置は自らの装置以外の個々の装置と定期的に一対一の通信を実行し、その接続経路について通信の可否を事実上リアルタイムで判定している。そして、各装置はその通信状態の判定結果として、個々の装置からのデータの受信状態を示す情報（経路情報）を、そのメモリに保存している。この動作は、上記の経路情報保存手段１０１（図１）の機能に対応している。
【００３１】
受信状態は、個々の装置ごとにその装置から送信されてきたデータが正常に受信できた場合は正常、正常に受信できない場合は異常となる。また、個々の装置に対して、第１のバスおよび第２のバスについての受信状態が存在する。なお、他の装置から送信されてくるデータには、自ら送信したデータが当該他の装置で正常に受信できたか否かの報告が含まれており、受信状態の正常／異常の判定には、その報告も反映される。
【００３２】
図２（ｂ）は、各装置が保有する受信状態の情報の内容を示している。図２（ｂ）に示すように、「機器Ａ」である制御装置１１は、「機器Ｂ」である制御装置１２、「機器Ｃ」である操作監視端末装置２１、「機器Ｄ」である操作監視端末装置２２、「機器Ｅ」である操作監視端末装置２３に対する受信状態として、それぞれ第１のバスおよび第２のバスについての受信状態の情報を保有する。同様に、「機器Ｃ」である操作監視端末装置２１は、「機器Ａ」である制御装置１１、「機器Ｂ」である制御装置１２、「機器Ｄ」である操作監視端末装置２２、「機器Ｅ」である操作監視端末装置２３に対する受信状態として、それぞれ第１のバスおよび第２のバスについての受信状態の情報を保有する。ネットワークを構成する各装置は、いずれも同様の情報を保有している。
【００３３】
各装置が保有する受信状態の情報は、例えば、操作監視端末装置２１の処理によって操作監視端末装置２１のメモリに収集される。受信状態の情報を定期的に収集することにより、事実上リアルタイムで受信状態が更新される。この動作は、上記の経路情報収集手段１０２（図１）の機能に対応している。
【００３４】
次に、操作監視端末装置２１は収集された受信状態の情報に基づき、ネットワークの通信状態を示す診断画面を作成し、モニタに表示する。モニタの表示を定期的に更新することで、事実上リアルタイムで受信状態が表示される。この動作は、上記の診断情報提示手段１０５（図１）の機能に対応している。
【００３５】
図３（ａ）は診断画面の例を示している。この例では、送信側の機器を最上列に横方向に、受信側の機器を最左列に縦方向に配置し、交点の升目に４種類のアイコンを配列したマトリクス表示によって各機器（機器Ａ〜機器Ｅ）間の通信状態を示している。図３（ｂ）に示すように、通信状態が正常であることを緑色で、異常であることを赤色で示している。また、円形状のアイコンは左半分が第１のバスによる通信状態を、右半分が第２のバスによる通信状態を、それぞれ示している。両者の通信状態が正常であれば緑色のアイコンを、第１のバス側の通信状態が正常で第２のバス側の通信状態が異常であれば、左半分が緑色で右半分が赤色のアイコンを表示する。また、第１のバス側の通信状態が異常で第２のバス側の通信状態が正常であれば、左半分が赤色で右半分が緑色のアイコンを表示する。両者の通信状態が異常であれば、赤色の「×」のアイコンを表示する。
【００３６】
本実施例によれば、機器間の通信状態がマトリクス表示され、しかもリアルタイムで表示が更新されるため、ネットワークの通信状態の異常個所を的確かつ瞬時に把握できる。
【実施例２】
【００３７】
図４は本実施例のネットワーク診断方法が適用されるネットワークを示すブロック図である。このネットワークは実施例１と同様、プラント制御を実行するためのシステムを構成している。図４に示すように、このネットワークは、ルータ４１，４２等を介して連鎖的に接続された複数のドメインＤＭ１，ＤＭ２，・・・から構成されている。
【００３８】
図４に示すように、ドメインＤＭ１は、プラントに設置されたバルブやセンサ等のフィールド機器に接続される制御装置１１Ａ，１２と、プラント各部を監視するとともに必要な操作を実行するための操作監視端末装置２１〜２３と、これらの装置をスター型に接続するスイッチングハブ３１，３２とを備える。制御装置１２および操作監視端末装置２１〜２３は実施例１と同様にスイッチングハブ３１，３２に接続されている。スイッチングハブ３１は第１のバスのハブとして、スイッチングハブ３２は第２のバスのハブとして、それぞれ機能する。
【００３９】
本実施例では、各機器が制御側と待機側に二重化される場合に対応可能なネットワークシステムを例示しており、制御装置１１Ａは制御用ＣＰＵと、待機側ＣＰＵを備えている。制御用ＣＰＵは通常時に機能し、第１のバスのケーブル１１ａおよび第２のバスのケーブル１１ｂを介して、それぞれスイッチングハブ３１およびスイッチングハブ３２に接続される。また、待機用ＣＰＵは制御用ＣＰＵに代替して機能し、第１のバスのケーブル１１ｃおよび第２のバスのケーブル１１ｄを介して、それぞれスイッチングハブ３１およびスイッチングハブ３２に接続される。
【００４０】
次に、ネットワーク診断の動作について説明する。
【００４１】
実施例１と同様、本実施例においても、ドメイン内においては、各装置は自らの装置以外の個々の装置と定期的に一対一の通信を実行し、通信の可否を判定している。そして、各装置はその通信状態の判定結果として、個々の装置からのデータの受信状態を示す情報を、そのメモリに保存している。
【００４２】
本実施例では、制御側と待機側に二重化されたシステムに対応しているため、受信状態には以下の組み合わせが存在する。
（１）制御側が保有する制御側からのデータの受信状態。
（２）制御側が保有する待機側からのデータの受信状態。
（３）待機側が保有する制御側からのデータの受信状態。
（４）待機側が保有する待機側からのデータの受信状態。
【００４３】
図５は各装置が保有する受信状態の情報の内容を示している。
【００４４】
図５（ａ）に示すように、「機器Ａ」である制御装置１１Ａは、上記（１）〜（４）として示した４種類の組み合わせに対応する受信状態の情報を保有する。そして、個々の組み合わせにおいて、「機器Ｂ」である制御装置１２、「機器Ｃ」である操作監視端末装置２１、「機器Ｄ」である操作監視端末装置２２、「機器Ｅ」である操作監視端末装置２３に対する受信状態として、それぞれ第１のバスおよび第２のバスについての受信状態の情報を保有する。
【００４５】
図５（ｂ）に示すように、「機器Ｃ」である操作監視端末装置２１は待機側ＣＰＵを持たないため、制御側ＣＰＵが保有する受信状態のみが定義され、上記（１）および（２）として示した２種類の組み合わせに対応する受信状態の情報を保有する。そして、個々の組み合わせにおいて、「機器Ａ」である制御装置１１、「機器Ｂ」である制御装置１２、「機器Ｄ」である操作監視端末装置２２、「機器Ｅ」である操作監視端末装置２３に対する受信状態として、それぞれ第１のバスおよび第２のバスについての受信状態の情報を保有する。
【００４６】
他のドメインについても、同様に各機器が受信状態の情報を保有する。
【００４７】
このような形式で各装置が保有する受信状態の情報は、例えば、操作監視端末装置２１の処理によって操作監視端末装置２１のメモリに収集される。他のドメインの受信状態の情報は、ルータ４１，４２等のルータを介して収集される。
【００４８】
次に、操作監視端末装置２１は収集された受信状態の情報に基づき、ネットワークの通信状態を示す診断画面を作成し、モニタに表示する。
【００４９】
図６は機器間通信状態の表示画面の例を示している。この例では、表示させるドメインを画面上の領域７０により選択する。図６では、ドメインは「Domain 01」が選択されている。表示させるドメインを切り替えることで、他のドメインのネットワークの状態を確認することができ、ネットワーク全体の状態を容易に監視できる。
【００５０】
図６の例では、上記（１）〜（４）として示した４種類の組み合わせが、それぞれ、タブ名称を「Station[C-C]」、「Station[S-C]」、「Station[C-S]」「Station[S-S]」とするタブに割り付けられている。領域７４に表示されるタブ名称を選択することで、そのタブに対応する組み合わせの受信状態を表示させることができる。図６では「（１）制御側が保有する制御側からのデータの受信状態」を示すタブ「Station[C-C]」が選択されている。
【００５１】
この画面では、送信側の機器を最上列７１に横方向に、受信側の機器を最左列７２に縦方向に配置し、交点の升目に４種類のアイコンを配列したマトリクス表示によって各機器（機器Ａ〜機器Ｈ）間の通信状態を示している。実施例１と同様、通信状態が正常であることを緑色で、異常であることを赤色で示している。また、左半分が第１のバスによる通信状態を、右半分が第２のバスによる通信状態を、それぞれ示している。
【００５２】
本実施例では、ドメイン内に通信状態が異常な経路が存在する場合、そのドメインを画面上で示すことができる。図７に示すように、領域７０を用いてドメインを一覧表示させると、領域７３において異常のあるドメインが赤色表示される。このため、表示中ではないドメインを監視することができる。また、異常が発生した場合に異常個所を瞬時に把握できる。この例では、ドメイン「Domain 01」および「Domain 04」に異常があることを示している。
【００５３】
また、表示中のドメイン内で通信状態に異常がある場合、領域７４に表示されるタブ名称（図６）を赤色表示することで異常個所を表示している。このため、表示中ではないタブを監視することができる。また、異常が発生した場合に異常個所を瞬時に把握できる。この例では、領域７４ａにおいてタブ「Station[C-S]」に異常があることを示している。
【００５４】
なお、領域７６の「レポート」を選択することで、現在表示している表示画面の元データをテキストファイルに出力することができる。このデータを用いてネットワークの状態を解析できる。
【００５５】
また、本実施例では、異なるドメインに属する機器間で通信を実行することで、ドメイン間の通信状態を判定している。この通信状態を判定することで、ルータの故障等に基づく異常を検知できる。
【００５６】
各ドメインにはドメインを代表する機器が設定されている。例えば、図４においてドメインＤＭ１の操作監視端末装置２１およびドメインＤＭ２の操作監視端末装置５１が、それぞれのドメインを代表する場合、両者間で通信を実行する。図４において、ドメインＤＭ２のスイッチングハブ６１、ルータ４１およびスイッチングハブ３１は第１のバスを、ドメインＤＭ２のスイッチングハブ６２、ルータ４２およびスイッチングハブ３２は第２のバスを、それぞれ構成する。
【００５７】
通信状態を示す情報は、ドメイン内の機器間の場合と同様、受信状態の情報として、ドメインを代表する各機器が保有する。この動作は、上記のドメイン間通信状態情報保存手段１０３（図１）の機能に対応している。
【００５８】
受信状態は、個々の装置ごとにその装置から送信されてきたデータが正常に受信できた場合は正常、正常に受信できない場合は異常となる。また、個々の装置に対して、第１のバスおよび第２のバスについての受信状態が存在する。
【００５９】
各装置が保有する受信状態の情報は、例えば、操作監視端末装置２１の処理によって操作監視端末装置２１のメモリに収集される。この動作は、上記のドメイン間通信状態情報収集手段１０４（図１）の機能に対応している。
【００６０】
次に、操作監視端末装置２１は収集された受信状態の情報に基づき、ネットワークの通信状態を示す診断画面を作成し、モニタに表示する。この動作は、上記の診断情報提示手段１０５（図１）の機能に対応している。
【００６１】
図８は、ドメイン間通信状態の表示画面を示している。図６において、領域７４から領域７４ｂの「Domain」を選択すると、図８に示すドメイン間通信状態の表示画面に切り替わる。図８の例では、送信側のドメインを最上列８１に横方向に、受信側のドメインを最左列８２に縦方向に配置し、交点の升目に４種類のアイコンを配列したマトリクス表示によって各ドメイン（ドメイン０１〜ドメイン０５）間の通信状態を示している。機器間通信状態の表示画面１と同様、通信状態が正常であることを緑色で、異常であることを赤色で示している。また、左半分が第１のバスによる通信状態を、右半分が第２のバスによる通信状態を、それぞれ示している。
【００６２】
この場合、両者のバスについて通信不可の場合には、複数経路のルータ等が同時に故障する可能性は低いので、異常ではなく未接続であると判断してもよい。
【００６３】
以上説明したように、上記実施形態では、個々の機器間の通信状態をマトリクス表示することによりネットワークの通信状態を示すので、ネットワークの通信状態が瞬時に把握できるとともに、異常個所を容易に特定できる。ネットワーク上で発生する問題は、通常、原因を特定するのに高度な技術や経験が必要となるが、上記のような表示形態により異常状態の検出および原因の究明を迅速に行うことができる。
【００６４】
本発明の適用範囲は上記実施形態に限定されることはない。本発明は、プラント制御システム以外のネットワークシステムに広く適用可能である。
【図面の簡単な説明】
【００６５】
【図１】本発明によるネットワーク診断方法を機能的に示すブロック図。
【図２】実施例１のネットワーク診断方法が適用されるネットワークを示す図であり、（ａ）はネットワークの構成を示すブロック図、（ｂ）は、各装置が保有する受信状態の情報の内容を示す図。
【図３】診断画面を示す図であり、（ａ）は診断画面の構成を示す図、（ｂ）はアイコンの表示内容を示す図。
【図４】実施例２のネットワーク診断方法が適用されるネットワークを示すブロック図。
【図５】各装置が保有する受信状態の情報の内容を示す図であり、（ａ）は機器Ａが保有する受信状態の情報を示す図、（ｂ）は機器Ｃが保有する受信状態の情報を示す図。
【図６】機器間通信状態の表示画面の例を示す図。
【図７】ドメインの一覧表示を示す図。
【図８】ドメイン間通信状態の表示画面を示す図。
【図９】トークンリング形式のネットワークの構成を示すブロック図。
【符号の説明】
【００６６】
１０１  経路情報保存手段
１０２  経路情報収集手段
１０３  ドメイン間通信状態情報保存手段
１０４  ドメイン間通信状態情報収集手段
１０５  診断情報提示手段
【図１】
2006129012.tif 000003
【図２】
2006129012.tif 000004
【図３】
2006129012.tif 000005
【図４】
2006129012.tif 000006
【図５】
2006129012.tif 000007
【図６】
2006129012.tif 000008
【図７】
2006129012.tif 000009
【図８】
2006129012.tif 000010
【図９】
2006129012.tif 000011